(57)【要約】【課題】ポンプの圧送効率を効果的に向上させる。【解決手段】駆動軸１３に一体回転可能に設けられると共に、径方向に延びる複数のスリット溝１５を有するロータ１４と、複数のスリット溝１５に進退自在にそれぞれ挿入された直方体状の複数のベーン１６と、ロータ１４の外周側に設けられると共に、その内周面にベーン１６の先端面１６Ａが摺接するカムリング１７と、その内部にロータ１４、ベーン１６及び、カムリング１７を収容すると共に、その内側面にベーンの両側面１６Ｂ，Ｃが摺接するハウジング１１，１２とを備え、ハウジング１１，１２の内側面と摺接するベーン１６の側面１６Ｂ，Ｃに複数のディンプル４０が形成された。【選択図】図３
2017206962.tif 000002
【特許請求の範囲】
【請求項１】
駆動軸に一体回転可能に設けられると共に、径方向に延びる複数のスリット溝を有するロータと、
前記複数のスリット溝に進退自在にそれぞれ挿入された複数のベーンと、
前記ロータの外周側に設けられると共に、その内周面に前記ベーンの先端面が摺接するカムリングと、
その内部に前記ロータ、前記ベーン及び、前記カムリングを収容すると共に、その内側面に前記ベーンの両側面が摺接するハウジングと、を備え、
前記ハウジングの内側面と摺接する前記ベーンの両側面のうち、少なくとも一方の側面に複数のディンプルが形成された
ことを特徴とするポンプ。
【請求項２】
前記カムリングの内周面と摺接する前記ベーンの先端面に複数のディンプルが形成された
請求項１に記載のポンプ。
【請求項３】
前記スリット溝と摺接する前記ベーンの側面に複数のディンプルが形成された
請求項１又は２に記載のポンプ。
【請求項４】
前記カムリングが、前記ロータの外周側に偏心揺動自在に設けられると共に、前記カムリングの前記ロータに対する偏心量を調整可能な偏心量調整手段をさらに備える
請求項１〜３の何れか一項に記載のポンプ。
【発明の詳細な説明】
【技術分野】
【０００１】
本発明は、ポンプに関し、特に、ベーンタイプのポンプに関する。
【背景技術】
【０００２】
一般的に、この種のベーンポンプは、径方向に放射状に延びる複数のスリット溝を有するロータと、各スリット溝に進退自在に挿入された複数のベーンと、ロータの外周側に設けられたカムリングとを備えて構成されている（例えば、特許文献１参照）。
【先行技術文献】
【特許文献】
【０００３】
【特許文献１】特開２０１０−２４９４８号公報
【発明の概要】
【発明が解決しようとする課題】
【０００４】
ところで、ベーンポンプの各ベーンは、その先端面をカムリングの内周面に摺接させると共に、その両側面をハウジング及びカバーの内側面にそれぞれ摺接させることで、各ポンプ室を区画している。ベーンの先端面は、ロータの回転に伴う遠心力によってカムリングの内周面に確実に摺接される。しかしながら、ベーンの両側面とハウジング及びカバーの内側面との間には微小な空隙が生じやすいため、このような空隙からポンプ室内の流体が隣接する他のポンプ室に漏れ出ると、圧送効率の低下を招く課題がある。
【０００５】
本開示の技術は、ポンプの圧送効率を効果的に向上させることを目的とする。
【課題を解決するための手段】
【０００６】
本開示の技術は、駆動軸に一体回転可能に設けられると共に、径方向に延びる複数のスリット溝を有するロータと、前記複数のスリット溝に進退自在にそれぞれ挿入された直方体状の複数のベーンと、前記ロータの外周側に設けられると共に、その内周面に前記ベーンの先端面が摺接するカムリングと、その内部に前記ロータ、前記ベーン及び、前記カムリングを収容すると共に、その内側面に前記ベーンの両側面が摺接するハウジングと、を備え、前記ハウジングの内側面と摺接する前記ベーンの両側面のうち、少なくとも一方の側面に複数のディンプルが形成されたことを特徴とする。
【０００７】
また、前記カムリングの内周面と摺接する前記ベーンの先端面に複数のディンプルが形成されてもよい。
【０００８】
また、前記スリット溝と摺接する前記ベーンの側面に複数のディンプルが形成されてもよい。
【０００９】
また、前記カムリングが、前記ロータの外周側に偏心揺動自在に設けられると共に、前記カムリングの前記ロータに対する偏心量を調整可能な偏心量調整手段をさらに備えてもよい。
【発明の効果】
【００１０】
本開示の技術によれば、ポンプの圧送効率を効果的に向上させることができる。
【図面の簡単な説明】
【００１１】
【図１】本発明の一実施形態に係るポンプを示す模式的な全体構成図である。
【図２】本発明の一実施形態に係るポンプにおいて、カムリングのロータに対する偏心量が減少した状態を説明する模式図である。
【図３】（Ａ）は、本発明の一実施形態に係るポンプを示す模式的な断面図、（Ｂ）は、本発明の一実施形態に係るベーンを示す模式的な斜視図である。
【発明を実施するための形態】
【００１２】
以下、添付図面に基づいて、本発明の一実施形態に係るポンプを説明する。同一の部品には同一の符号を付してあり、それらの名称および機能も同じである。したがって、それらについての詳細な説明は繰返さない。
【００１３】
図１に示すように、ポンプ１０は、所謂可変容量型のベーンポンプであって、略有底筒状のポンプハウジング１１と、ポンプハウジング１１の開口を塞ぐカバー１２と、ポンプハウジング１１の筒内の略中心に貫通挿入された駆動軸１３と、駆動軸１３に一体回転可能に設けられたロータ１４と、ロータ１４の各スリット溝１５に進退自在に挿入された複数のベーン１６と、ロータ１４の外周側に偏心揺動自在に設けられたカムリング１７と、カムリング１７をロータ１４に対する偏心量が増加する方向に付勢するスプリング２０と、油圧室２１の油圧によりカムリング１７を偏心量が減少する方向に押圧するピストン２２とを備えている。
【００１４】
本実施形態において、ポンプハウジング１１及びカバー１２は、本発明のハウジングに相当し、スプリング２０、油圧室２１及び、ピストン２２は、本発明の偏心量調整手段に相当する。
【００１５】
ポンプハウジング１１のスプリング２０とは反対側の内筒面には、カムリング１７の外周に設けられた凸部１７Ａを受容して、カムリング１７の枢支点となる凹部１１Ａが設けられている。また、ポンプハウジング１１の筒底部には、スプリング２０側に吸入ポート２３が形成されると共に、凹部１１Ａ側に吐出ポート２４が形成されている。
【００１６】
ロータ１４には、径方向に放射状に延びる複数のスリット溝１５が形成されている。各スリット溝１５には、複数のベーン１６がそれぞれ進退自在に挿入されている。
【００１７】
各ベーン１６は、略直方体状に形成されており、その先端面１６Ａをカムリング１７の内周面に摺接させると共に、その両側面１６Ｂ，Ｃ（１６Ｂについては図３参照）をポンプハウジング１１の内側面及びカバー１２の内側面にそれぞれ摺接させている。すなわち、ベーン１６、ロータ１４の外周面、カムリング１７の内周面、ポンプハウジング１１の内側面及び、カバー１２の内側面によって流体（例えば、潤滑油や作動油等の液体）を圧送するポンプ室３０が区画されている。
【００１８】
以上のように構成されたポンプ１０は、図１に示すように、スプリング２０の付勢力によってカムリング１７が偏心方向に移動され、カムリング１７のロータ１４に対する偏心量が増加すると、これに伴いポンプ室３０の容積が大きくなることで流体の吐出量も増加される。一方、図２に示すように、油圧室２１に供給されるギャラリ油圧によってカムリング１７が同心方向に移動され、カムリング１７のロータ１４に対する偏心量が減少すると、これに伴いポンプ室３０の容積が小さくなることで流体の吐出量も減少されるようになっている。
【００１９】
本実施形態において、ベーン１６には、無数のディンプルが形成されている。より詳しくは、図３に示すように、無数のディンプル４０は、カムリング１７の内周面と摺接するベーン１６の先端面１６Ａ、ポンプハウジング１１の内側面と摺接するベーン１６の第１側面１６Ｂ及び、カバー１２の内側面と摺接するベーン１６の第２側面１２Ｃに形成されている。各ディンプル４０は、好ましくは、穴径：０．００５〜０．１ｍｍ、深さ：０．００５〜０．０１５ｍｍ、面積率：１５〜４０％とされ、ベーン１６の先端面１６Ａ及び両側面１６Ｂ，Ｃにショットブラストあるいはレーザ加工等を施すことで形成されている。
【００２０】
このように、ベーン１６の先端面１６Ａ、第１側面１６Ｂ及び、第２側面１２Ｃに無数のディンプル４０を設けたことで、これらディンプル４０に流体が保持されるようになる。これにより、カムリング１７の内周面とベーンの先端面１６Ａ、ポンプハウジング１１の内側面とベーン１６の第１側面１６Ｂ及び、カバー１２の内側面とベーン１６の第２側面１２Ｃの三つの摺接面の潤滑性が確実に向上されるようになり、摩耗を効果的に抑制することができる。
【００２１】
また、ベーン１６の第１側面１６Ｂ及び、第２側面１２Ｃに無数のディンプル４０を設けたことで、隙間が生じやすいベーン１６の第１側面１６Ｂとポンプハウジング１１の内側面の間及び、ベーン１６の第２側面１６Ｃとカバー１２の内側面の間の圧力が上昇されるようになる。これにより、ポンプ室３０内の流体が隣接する他のポンプ室３０に漏れ出すことを効果的に抑止することが可能となり、ポンプの圧送効率を確実に向上することができる。
【００２２】
なお、本発明は、上述の実施形態に限定されるものではなく、本発明の趣旨を逸脱しない範囲で、適宜変形して実施することが可能である。
【００２３】
例えば、ディンプル４０を設ける位置は、ベーン１６の先端面１６Ａ及び両側面１６Ｂ，Ｃに限定されず、ポンプハウジング１１の内側面、カバー１２の内側面、カムリング１７の内周面等、ベーン１６と摺接する他の部位に設けることもできる。この場合も上記実施形態と同様の作用効果を奏することができる。
【００２４】
また、ディンプル４０は、ベーン１６のスリット溝１５と摺接する側面、あるいは、ベーン１６の全面に形成してもよい。このようにディンプル４０を設ければ、上記実施形態の作用効果に加えて、ベーン１６とスリット溝１５との間の潤滑性も向上させることができる。
【００２５】
また、ディンプル４０の形成方法は、ショットブラストやレーザ加工に限定されず、他の方法で形成することもできる。
【００２６】
また、上記実施形態のポンプ１０は、可変容量型のベーンポンプに限定されず、固定容量型のベーンポンプであってもよい。
【符号の説明】
【００２７】
１０  ポンプ
１１  ポンプハウジング
１２  カバー
１３  駆動軸
１４  ロータ
１５  スリット溝
１６  ベーン
１６Ａ  先端面
１６Ｂ  第１側面
１６Ｃ  第２側面
１７  カムリング
２０  スプリング
２１  油圧室
２２  ピストン
２３  吸入ポート
２４  吐出ポート
３０  ポンプ室
４０  ディンプル
【図１】
2017206962.tif 000003
【図２】
2017206962.tif 000004
【図３】
2017206962.tif 000005